(57)【要約】      （修正有）【課題】ノズル穴から噴射する噴流の乱れを抑制するノズルを提供する。【解決手段】ノズル１０は、中心軸１１ｂを有する軸体１１と、軸体１１の内部に設けられた導液路１２と、導液路１２の先端に配置され、導液路１２と接続する液室１３と、中心軸１１ｂと異なる方向に延びて液室の先端部に配置されるノズル穴１４と、軸体１１に配置され、ノズル穴１４に垂直であって、ノズル穴１４の出口が配置される出口平面１５と、を備えている。【選択図】図１
0003232723.tif 000002
【実用新案登録請求の範囲】
【請求項１】
中心軸を有する軸体と、
前記軸体の内部に設けられ、前記中心軸に沿って延びる導液路と、
前記導液路と接続し、前記導液路の先端部に配置された液室と、
前記中心軸と異なる方向に延びて、前記液室の先端部に配置されるノズル穴と、
前記軸体に配置され、前記ノズル穴に垂直であって、前記ノズル穴の出口が配置される出口平面と、を備える、
ノズル。
【請求項２】
前記出口平面は、前記ノズル穴の出口周縁の全周を囲む、
請求項１に記載のノズル。
【請求項３】
前記液室は、前記ノズル穴に垂直であって、前記ノズル穴の入口が配置される入口平面を有する、
請求項１又は２に記載のノズル。
【請求項４】
前記入口平面は、前記ノズル穴の入口周縁の全周を囲む、
請求項３に記載のノズル。
【請求項５】
前記ノズル穴は、前記中心軸に垂直に配置された、
請求項１〜４のいずれかに記載のノズル。
【請求項６】
前記ノズル穴は、前記中心軸に対して、先端方向に傾斜して配置された、
請求項１〜４のいずれかに記載のノズル。
【請求項７】
前記ノズル穴及び前記出口平面は、前記中心軸を中心として回転対称に配置された、
請求項１又は２に記載のノズル。
【請求項８】
前記ノズル穴及び前記出口平面は、前記中心軸を中心として回転対称に配置された、
請求項３又は４に記載のノズル。
【請求項９】
前記入口平面は、前記中心軸を中心として回転対称に配置された、
請求項７に記載のノズル。
【考案の詳細な説明】
【技術分野】
【０００１】
本考案は、ノズルに関する。
【背景技術】
【０００２】
加工後のバリ取りに供される液体噴射ノズルであって、シャンク部の先端に、径方向に沿って複数この噴射孔が形成された液体噴射ノズルが提案されている（特許第６３３３６８９号公報）。
【考案の概要】
【考案が解決しようとする課題】
【０００３】
従来のノズルでは、ノズル穴から噴射する噴流が乱れる場合がある。本考案は、ノズル穴から噴射する噴流の乱れを抑制することを目的とする。
【課題を解決するための手段】
【０００４】
本考案の第１の側面は、ノズルであって、
中心軸を有する軸体と、
前記軸体の内部に設けられ、前記中心軸に沿って延びる導液路と、
前記導液路と接続し、前記導液路の先端部に配置された液室と、
前記中心軸と異なる方向に延びて、前記液室の先端部に配置されるノズル穴と、
前記軸体に配置され、前記ノズル穴に垂直であって、前記ノズル穴の出口が配置される出口平面と、を備えている。
【０００５】
ノズルは、例えば横型ノズルや、洗浄ランスである。洗浄ランスは、洗浄対象物の内部に挿入されて液体を噴射し、洗浄対象物の内部の異物やバリを除去する。噴射される液体は、例えば洗浄液や加工クーラントである。液体は、例えば水溶液であり、水系洗浄液や水系クーラントである。
【０００６】
軸体は、例えば、ストレートシャンク、テーパシャンク、フランジに接続する。軸体はトラバースコラム、送り台、ロボットによって、洗浄対象物に対して相対的に移動される。
【０００７】
液室は、円筒状をなす。好ましくは、入口平面は、液室の底面から上端まで配置される。液室と導液路は、同軸、同径でも良い。液室は、入口平面の上端部に、入口平面と導液路とを接続するテーパ面を有しても良い。テーパ面は、例えば、中心軸を中心に配置された直円錐面である。
【０００８】
単数又は複数のノズル穴が配置されても良い。複数のノズル穴が配置されるときは、ノズル穴は中心軸に対して回転対称に配置される。入口平面や出口平面が、ノズル穴にそれぞれ垂直に配置される。
【０００９】
ノズル穴の個数や中心軸に対する角度、直円錐面の有無、入口平面の有無は、いかなる組合せとしても良い。
【考案の効果】
【００１０】
本考案によれば、ノズル穴から噴射する噴流の乱れを抑制できる。
【図面の簡単な説明】
【００１１】
【図１】第１実施形態のノズルの斜視図
【図２】第２実施形態のノズルの斜視図
【図３】図２のＩＩＩ面で切断した断面図
【図４】図３のＩＶ−ＩＶ線で切断した断面図
【図５】第３実施形態のノズルの斜視図
【図６】図５のＶＩ面で切断した断面図
【図７】第４実施形態のノズルの斜視図
【図８】図７のＶＩＩＩ面で切断した断面図
【考案を実施するための形態】
【００１２】
（第１実施形態）
図１に示すように、本実施形態のノズル１０は、軸体１１と、導液路１２と、液室１３と、一つのノズル穴１４と、一つの出口平面１５と、を有する。
【００１３】
軸体１１は、直円柱状である。軸体１１は外筒面１１ｃを有する。軸体１１の先端部は、円錐面に形成された面取り１１ａを有しても良い。軸体１１の外径は、例えば４ｍｍ〜１２ｍｍである。
【００１４】
導液路１２と液室１３は、直円柱であり、軸体１１の中心である中心軸１１ｂと同軸に配置される。導液路１２は、液室１３に接続する。液室１３は、底面１３ａを有する。液室１３は、導液路１２と同径でも良い。好ましくは、液室１３の内面は平滑に構成される。
【００１５】
ノズル穴１４は、軸体１１の先端部に配置され、中心軸１１ｂと垂直に延びる。ノズル穴１４は直円筒であり、出口平面１５から液室１３までを貫通する。好ましくは、ノズル穴１４は、底面１３ａよりも基端方向に配置される。ノズル穴１４の直径は、例えば０．５ｍｍ〜２．５ｍｍである。底面１３ａからノズル穴１４のノズル中心１４ｃまでの高さ６４は、例えばノズル径６１（図３参照）の１〜５倍である。
【００１６】
出口平面１５は、軸体１１の先端部の外筒面１１ｃに配置される。出口平面１５は、ノズル穴１４と垂直である。出口平面１５は、ノズル穴１４の出口周縁１４ａの全周を囲む。出口周縁１４ａは、出口平面１５上に配置されるため円形である。出口平面１５は、軸体１１の先端から配置されて良い。好ましくは、出口平面１５の平面幅６６（図３参照）は、出来るだけ狭く設定されて良い。例えば、平面幅６６は、ノズル径６１の１．１倍〜１．２倍である。例えば、ノズル中心１４ｃから出口平面１５の縁までの距離６５は、ノズル径６１の１．１倍〜１．２倍である。
【００１７】
本実施形態のノズル１０によれば、出口周縁１４ａが出口平面１５上に配置されるため、円形に形成される。そのため、ノズル穴１４から噴射される噴流の乱れが抑制され、噴流が楕円状に広がりにくい。言い換えると、噴流の直進性が向上する。
平面幅６６が狭く設定されることにより、ノズル穴１４（図３参照）の長さが長くなり、噴流の直進性が向上する。
【００１８】
（第２実施形態）
図２〜図４に示すように、本実施形態のノズル２０は、軸体１１と、導液路１２と、液室２３と、一つのノズル穴２４と、一つの出口平面１５と、を有する。液室２３は、一つの入口平面２６を有する。ノズル穴２４は、出口周縁２４ａと入口周縁２４ｂを有する。ＩＩＩ面は中心軸１１ｂに垂直で、ノズル穴２４のノズル中心２４ｃ（図４参照）を通る平面である。ＩＶ面は中心軸１１ｂ及びノズル中心２４ｃを通る平面である。
【００１９】
液室２３は、底面２３ａを有する。入口平面２６は、底面２３ａから液室２３の基端まで延びる。入口平面２６は、ノズル穴２４に垂直に配置される。入口平面２６は、ノズル穴２４の入口周縁２４ｂの全周を囲む。入口平面２６の平面幅６７は出来るだけ狭く設定されて良い。図３に示すように、例えば、平面幅６７は、ノズル径６１の１．１倍〜１．２倍である。入口平面２６のノズル中心２４ｃからの高さ６３は、例えば、ノズル径６１の５〜３０倍である。
【００２０】
ノズル穴２４は、出口平面１５から入口平面２６まで貫通する。出口周縁２４ａは出口平面１５上に配置されるため円形である。入口周縁２４ｂは入口平面２６に配置されるため円形である。
【００２１】
本実施形態のノズル２０によれば、ノズル穴２４が円形の出口周縁２４ａと入口周縁２４ｂを有するため、ノズル穴２４の内部の円周方向の液体の速度分布の均等化が促進される。そのため、噴流の乱れが抑制され、噴流が楕円状に広がりにくい。
【００２２】
（第３実施形態）
図５及び図６に示すように、本実施形態のノズル３０は、軸体１１と、液室３３と、複数のノズル穴２４と、ノズル穴２４と同数の出口平面１５と、を有する。液室３３は、ノズル穴２４と同数の入口平面３６を有する。ＶＩ面は、中心軸１１ｂとノズル穴２４のノズル中心２４ｃを通る平面である。
【００２３】
２つのノズル穴２４は、軸体１１の先端部に、中心軸１１ｂに垂直に、かつ、中心軸１１ｂについて回転対称に配置される。出口平面１５は、ノズル穴２４に垂直に、ノズル穴２４の出口にそれぞれ配置される。ノズル穴２４は、例えば２つ〜４つ配置される。ノズル穴２４がｎ個配置されたときに、ノズル穴２４、出口平面１５及び入口平面３６はｎ回回転対称に配置される。
【００２４】
液室３３は、ノズル穴２４と同数のテーパ面３７とを有する。入口平面３６は、ノズル穴２４に垂直に、ノズル穴２４の入口にそれぞれ配置される。テーパ面３７は、中心軸１１ｂを中心とする直円錐面であり、入口平面３６の基端に設置される。テーパ面３７は、導液路１２と入口平面３６を滑らかに接続する。テーパ面が配置されることにより、液室３３に流入する液体の乱れが抑制される。
【００２５】
（第４実施形態）
図７及び図８に示すように、本実施形態のノズル４０は、軸体１１と、導液路１２と、液室４３と、複数のノズル穴４４と、ノズル穴４４と同数の出口平面４５と、を有する。液室４３は、入口平面４６を有しても良い。ＶＩＩＩ面は、中心軸１１ｂとノズル穴４４のノズル中心４４ｃを通る平面である。
【００２６】
ノズル穴４４は、出口周縁４４ａと、入口周縁４４ｂと、ノズル中心４４ｃとを有する。ノズル中心４４ｃは、中心軸１１ｂと交差し、先端方向に向かって中心軸１１ｂから傾斜する。傾斜角６８は、例えば２０度〜７０度である。複数のノズル穴４４は、中心軸１１ｂについて回転対称に配置される。例えば、ノズル穴４４は２つ〜４つ配置される。ノズル穴４４がｎ個配置されたときに、ノズル穴、出口平面４５及び入口平面４６はｎ回回転対称に配置される。
【００２７】
出口平面４５は、軸体１１の先端の角部に配置される。出口平面４５は、ノズル中心４４ｃにそれぞれ垂直である。出口平面４５は、出口周縁４４ａの全周を囲む。出口周縁４４ａは円形である。
【００２８】
入口平面４６は、液室４３の底面の角部に、ノズル穴４４と同数配置される。入口平面４６は、ノズル中心４４ｃにそれぞれ垂直である。入口平面４６は、入口周縁４４ｂの全周を囲む。入口平面４６が配置されたときは、入口周縁４４ｂは円形である。
【００２９】
本考案は前述した実施形態に限定されず、本考案の要旨を逸脱しない範囲で種々の変形が可能であり、実用新案登録請求の範囲に記載された技術思想に含まれる技術的事項の全てが本考案の対象となる。前記実施形態は、好適な例を示したものであるが、当業者ならば、本明細書に開示の内容から、各種の代替例、修正例、変形例あるいは改良例を実現することができ、これらは添付の実用新案登録請求の範囲に記載された技術的範囲に含まれる。
【符号の説明】
【００３０】
１０、２０、３０、４０  ノズル
１１  軸体
１３、２３、３３、４３  液室
１４、２４、４４  ノズル穴
１５、４５  出口平面
【図１】
0003232723.tif 000003
【図２】
0003232723.tif 000004
【図３】
0003232723.tif 000005
【図４】
0003232723.tif 000006
【図５】
0003232723.tif 000007
【図６】
0003232723.tif 000008
【図７】
0003232723.tif 000009
【図８】
0003232723.tif 000010